(57)【要約】【課題】  標準時刻電波の受信感度を良好に確保すべく合理的に構成された電波修正時計のムーブメントを得ること。【解決手段】  当該ムーブメント１は、標準時刻電波を受信するアンテナ８００を備え、ケース体６００の側部には、アンテナ８００を装着可能とした第１アンテナ装着部６１１を設けるとともに、第１アンテナ装着部６１１を設けたケース体６００の側部の外部には、補助ケース部材６９０を連結可能とし、補助ケース部材６９０には、アンテナ８００を装着可能とした第２アンテナ装着部６９１を設け、アンテナ８００は、第１アンテナ装着部６１１に装着する、又はケース体６００に補助ケース部材６９０を連結して第２アンテナ装着部６９１に装着するものとし、アンテナ８００を第２アンテナ装着部６９１に装着した場合は、第１アンテナ装着部６１１に装着した場合よりも、モータ２１０，２２０とアンテナ８００との間隔が大きくなるようにした。【選択図】図１
2010139411.tif 000002
【特許請求の範囲】
【請求項１】
モータと、前記モータに連結された減速機構と、指針を装着する指針パイプと、前記モータを制御する駆動回路を設けた回路基板と、それらを支持するケース体とを備え、前記指針パイプが前記減速機構を介して前記モータにより駆動する時計のムーブメントにおいて、
当該ムーブメントは、標準時刻電波を受信してその表示時刻を修正する電波修正時計に用いるものであり、前記標準時刻電波を受信するアンテナを備え、
前記ケース体の側部には、前記アンテナを装着可能とした第１アンテナ装着部を設けるとともに、前記第１アンテナ装着部を設けた前記ケース体の側部の外部には、補助ケース部材を連結可能とし、
前記補助ケース部材には、前記アンテナを装着可能とした第２アンテナ装着部を設け、
前記アンテナは、前記第１アンテナ装着部に装着する、又は前記ケース体に前記補助ケース部材を連結して前記第２アンテナ装着部に装着するものとし、
前記アンテナを前記第２アンテナ装着部に装着した場合は、前記アンテナを前記第１アンテナ装着部に装着した場合よりも、前記モータと前記アンテナとの間隔が大きくなるようにしたことを特徴とする電波修正時計のムーブメント。
【発明の詳細な説明】
【技術分野】
【０００１】
本発明は、指針を駆動するムーブメントに関し、特に、アナログ式の電波修正時計に利用されるものである。
【背景技術】
【０００２】
時計の指針を駆動するムーブメントは、指針パイプが減速機構を介してモータにより駆動する構成となっている。ムーブメントのケース体には、モータを制御する駆動回路が設けられている。モータは、駆動回路に設定されたプログラムに基づいて制御される。この種のムーブメントは、特許文献１乃至４にも開示されている。
【特許文献１】特開平７−１９８８７１号公報
【特許文献２】特開平１０−１２３２６６号公報
【特許文献３】特開２００１−４２０６０号公報
【特許文献４】特開２００７−１３２８２２号公報
【発明の開示】
【発明が解決しようとする課題】
【０００３】
さて近年では、時計の形態は益々多様化される傾向にあり、時計のムーブメントについても、各種時計に対応すべく汎用性の向上が求められている。特に、標準時刻電波を受信してその表示時刻を修正する電波修正時計の使用が広まっており、電波修正時計に用いるムーブメントについても、構造の簡素化や製造性の向上等を踏まえつつ、更なる工夫が求められている。
【０００４】
アンテナをムーブメントに設けるにあたり、注意すべきは、アンテナに対するモータのノイズの影響である。モータが発生する磁界は、ノイズとなりアンテナの受信感度を低下させるので、モータとアンテナとの間隔は、大きいほうが望ましい。但し、時計の内部に設けるムーブメントとしては、できるだけ小型化することが望ましいという要請もあり、アンテナの配置構成が重要な問題となる。
【０００５】
一般に、この種のムーブメントは、時分針を駆動する第１ステッピングモータと、秒針を駆動する第２ステッピングモータとを備えており、第２ステッピングモータのノイズが第１ステッピングモータのノイズよりも遥かに大きい。従って、第２ステッピングモータとアンテナとの間隔を考慮する必要がある。また、第２ステッピングモータのノイズは、その運針方法に依存する。第２ステッピングモータの運針方法としては、ステップ運針、すなわち毎秒１つのパルス電流を供給する方法と、連続運針、すなわち１秒よりも短い間隔でパルス電流を連続供給する方法が知られている。ノイズは、ステップ運針よりも連続運針の場合に大きい。更に、モータや減速機構は、運針方法に応じて異なるものを使用するところ、ムーブメントのケース体については、共通の部材を利用可能とすることが望ましいとされる。
【０００６】
つまるところ、ケース体は、ステップ運針と連続運針に対応すべく第２ステッピングモータ及び減速機構の互換性を備えるとともに、アンテナの位置については、第２ステッピングモータのノイズの差に対処するための工夫が必要とされる。
【０００７】
本発明は、かかる事情に鑑みてなされたものであり、その目的は、標準時刻電波の受信感度を良好に確保すべく合理的に構成された電波修正時計のムーブメントを提供することである。
【課題を解決するための手段】
【０００８】
本願第１請求項に記載した発明は、モータと、前記モータに連結された減速機構と、指針を装着する指針パイプと、前記モータを制御する駆動回路を設けた回路基板と、それらを支持するケース体とを備え、前記指針パイプが前記減速機構を介して前記モータにより駆動する時計のムーブメントにおいて、当該ムーブメントは、標準時刻電波を受信してその表示時刻を修正する電波修正時計に用いるものであり、前記標準時刻電波を受信するアンテナを備え、前記ケース体の側部には、前記アンテナを装着可能とした第１アンテナ装着部を設けるとともに、前記第１アンテナ装着部を設けた前記ケース体の側部の外部には、補助ケース部材を連結可能とし、前記補助ケース部材には、前記アンテナを装着可能とした第２アンテナ装着部を設け、前記アンテナは、前記第１アンテナ装着部に装着する、又は前記ケース体に前記補助ケース部材を連結して前記第２アンテナ装着部に装着するものとし、前記アンテナを前記第２アンテナ装着部に装着した場合は、前記アンテナを前記第１アンテナ装着部に装着した場合よりも、前記モータと前記アンテナとの間隔が大きくなるようにした構成の電波修正時計のムーブメントである。
【発明の効果】
【０００９】
本発明によれば、標準時刻電波の受信感度を良好に確保すべく合理的に構成された電波修正時計のムーブメントを得ることができる。
【発明を実施するための最良の形態】
【００１０】
以下に、本発明の実施例を図面に基づいて説明する。図１乃至図６に示す本例の電波修正時計のムーブメント１は、複数のモータ２１０，２２０と、各モータ２１０，２２０に連結されたギア列からなる減速機構３１０，３２０と、指針を装着する指針パイプ４１０，４２０，４３０と、モータ２１０，２２０を制御する駆動回路を設けた回路基板５００と、それらを支持するケース体６００とを備え、指針パイプ４１０，４２０，４３０が減速機構３１０，３２０を介してモータ２１０，２２０により駆動する構成となっている。
【００１１】
具体的には、時針を装着する時針パイプ４１０、分針を装着する分針パイプ４２０、秒針を装着する秒針パイプ４３０が同心軸状に設けられている。尚、中心に位置する秒針パイプ４３０は、特にパイプ状の部材でなともよい。図例した秒針パイプ４３０は、軸状の部材である。
【００１２】
そして、第１ステッピングモータ２１０に連結された第１減速機構３１０が分針パイプ４２０の基端部に設けられた分針車４２１と連結されている。第２ステッピングモータ２２０に連結された第２減速機構３２０が秒針パイプ４３０の基端部に設けられた秒針車４３１と連結されている。また、分針パイプ４２０の基端部に設けられたカナ４２２が日の裏車３１１と連結されており、時針パイプ４１０の基端部に設けられた時針車４１１が日の裏車３１１のカナ３１２と連結されている。
【００１３】
時針パイプ４１０及び分針パイプ４２０が第１ステッピングモータ２１０によりそれぞれ所定の速度で回転駆動し、秒針パイプ４３０が第２ステッピングモータにより所定の速度で回転駆動する。
【００１４】
尚、図中の７００は、発光素子７１０及び受光素子７２０からなる位置検出手段である。発光素子７１０及び受光素子７２０の間に位置する駆動部材の要所には、発光素子７１０の光を透過する透光部７３０が設けられており、受光素子７２０の検出パターンから各指針パイプ４１０，４２０，４３０の回転位置を検出する構成となっている。
【００１５】
また、本例のムーブメント１は、標準時刻電波を受信してその表示時刻を修正する電波修正時計に用いるものであって、標準時刻電波を受信するアンテナ８００を備えるとともに、受信の動作を制御する受信回路を回路基板５００に設けてなるものである。
【００１６】
ケース体６００の側部には、アンテナ８００を装着可能とした第１アンテナ装着部６１１を設けている。このアンテナ８００は、鉄芯にコイルを巻いてなる棒状のものである。また、第１アンテナ装着部６１１を設けたケース体６００の側部の外部には、補助ケース部材６９０を連結可能とし、補助ケース部材６９０には、アンテナ８００を装着可能とした第２アンテナ装着部６９１を設けている。アンテナ８００は、第１アンテナ装着部６１１に装着する、又はケース体６００に補助ケース部材６９０を連結して第２アンテナ装着部６９１に装着する構成となっている。
【００１７】
ケース体６００は、背面側の第１ケース部材６１０及び正面側の第２ケース部材６２０をその厚さ方向に組付けてなる扁平型のものである。第１ケース部材６１０及び第２ケース部材６２０の間には、モータ２１０，２２０を装着した中板６０１が設けられている。
【００１８】
このケース体６００の内部には、モータ２１０，２２０、減速機構３１０，３２０、及び指針パイプ４１０，４２０，４３０の基端部が収納されている。第１ケース部材６１０、第２ケース部材６２０、及び中板６０１の要所には、各構成部材を保持する凹凸、ボス、及び支軸等が形成されている。指針パイプ４１０，４２０，４３０の先端部は、第２ケース部材６２０から正面に向けて突出している。第１ケース部材６１０及び第２ケース部材６２０は、互いにねじ止めされている。回路基板５００は、第２ケース部材６２０の正面に重ねてねじ止めし、装着されている。回路基板５００には、指針パイプ４１０，４２０，４３０を挿通する孔部が設けられている。
【００１９】
第１ケース部材６１０は、ケース体６００の正面側から見て第２ケース部材６２０の側部に食み出した部位に、第１アンテナ装着部６１１を一体に備えている。第１アンテナ装着部６１１は、正面側を開口した箱型を呈し、その内部には、アンテナ８００の端部を固定するスナップ６１２が設けられている。
【００２０】
補助ケース部材６９０は、第１アンテナ装着部６１１にねじ止めして連結される。本例の場合、ケース体６００の扁平方向に連結されるものとなっている。第２アンテナ装着部６９１は、正面側を開口した箱型を呈し、その内部には、アンテナ８００の端部を固定するスナップ６９２が設けられている。
【００２１】
また、補助ケース部材６９０には雄ねじ部品Ｂを螺合する雌ねじ部６９３が設けられており、第１アンテナ装着部６１１には雄ねじ部品Ｂを挿通する通孔６１３が設けられている。補助ケース部材６９０は、通孔６１３に挿通した雄ねじ部品Ｂを雌ねじ部６９３に螺合してねじ止めされる。雌ねじ部６９３は、第１アンテナ装着部６１１の内側に突出する凸状の部位（図例では２箇所）となっており、雄ねじ部品Ｂは、第１ケース部材６１０の裏側から通孔６１３に挿通し、ケース体６００の厚さ方向に螺合する構成となっている。
【００２２】
本例のムーブメント１は、ケース体６００を組付け、回路基板５００及びアンテナ８００を装着し、アンテナ８００のリード線８０１を回路基板５００にハンダ付けしてそれらを電気的に接続した後に、回路基板５００に搭載されたコンデンサ等の受信回路の電子部品を操作してアンテナ８００のチューニングをする構成となっている。
【００２３】
本例の場合、このように回路基板５００及びアンテナ８００を設けた後、更に回路基板５００の正面に目安機構９００を設けている。この目安機構９００は、第２ケース部材６２０の正面に第３ケース部材６３０をねじ止めし、この第３ケース部材６３０と回路基板５００との間に設けられている。指針パイプ４１０，４２０，４３０の先端部は、第３ケース部材６３０を貫通している。
【００２４】
目安機構９００の具体的構成は、特に限定はしないが、本例の場合、不図示の操作手段にて使用者が任意に回転操作する目安車９１０と、時針パイプ４１０と同期回転する時伝え車９２０と、時伝え車９２０に追従する目安カム９３０と、目安カム９３０を目安車９１０側に付勢する所定の形状の板バネ９４０と、回路基板５００に設けられた目安接点９５０とを備え、時針パイプ４１０の駆動に連動して板バネ９４０が目安接点９５０と離合して、目安接点９５０のＯＦＦ／ＯＮが切換えられる構成となっている。
【００２５】
目安車９１０の要所には孔部９１１が設けられており、目安カム９３０は、一回転に一度、その突起部９３１が目安車９１０の孔部９１１に没入することにより、目安車９１０側にある程度移動する。目安カム９３０が目安車９１０側に移動すると、板バネ９４０の所定の部位が目安接点９５０と接触し、目安接点９５０がＯＦＦからＯＮとなる。また、突起部９３１の先端には、所定の向きのテーパーが設けられており、突起部９３１は、目安車９１０の孔部９１１に没入した後、目安カム９３０がある程度回転したところで、その孔部９１１から外脱する。突起部９３１が孔部９１１から外脱すると、板バネ９４０が目安接点９５０から離れて、目安接点９５０がＯＮからＯＦＦとなる。かかる目安機構９００は、必要に応じて取り付け可能となっている。
【００２６】
次に、第１アンテナ装着部６１１及び第２アンテナ装着部６９１について詳述する。図１は、補助ケース部材６９０を連結してアンテナ８００を第２アンテナ装着部６９１に装着した場合を示している。図６は、補助ケース部材６９０を連結せずにアンテナ８００を第１アンテナ装着部６１１に装着した場合を示している。
【００２７】
アンテナ８００を第２アンテナ装着部６９１に装着した場合は、アンテナ８００を第１アンテナ装着部６１１に装着した場合よりも、モータ２１０，２２０とアンテナ８００との間隔が大きくなるように構成されている。このような構成によると、使用する第２ステッピングモータ２２０のノイズの差に応じてアンテナ８００の位置を変更することにより、標準時刻電波の受信感度を良好に確保することが可能となる。以下に、その考え方について説明する。
【００２８】
第２ステッピングモータ２２０及び第２減速機構３２０は、秒針の運針方法に応じて異なるものが使用される。ケース体６００については、共通の部材を利用可能とすることが望ましい。第１ケース部材６１０、第２ケース部材６２０、及び中板６０１に形成された凹凸、ボス、及び支軸等は、運針方法が異なる第２ステッピングモータ２２０及び第２減速機構３２０をそれぞれ設けることができるように予め設計されている。
【００２９】
第２ステッピングモータ２２０の運針方法としては、ステップ運針と連続運針がある。ステップ運針の場合は、ノイズの影響が比較的少ないので、第１アンテナ装着部６１１にアンテナ８００を装着する（図６参照）。補助ケース部材６９０は、連結せずともよいので、不要な大型化を招くことはない。一方、連続運針の場合は、ステップ運針と比較するとノイズの影響が遥かに大きいので、第１アンテナ装着部６１１にアンテナ８００を装着すると、標準時刻電波の受信がおぼつかなくなる恐れがある。そこで、補助ケース部材６９０を連結して第２アンテナ装着部６９１にアンテナ８００を装着する（図１参照）。第２ステッピングモータ２２０とアンテナ８００との間隔が大きくなるので、標準時刻電波の受信感度を良好に確保することができる。
【００３０】
尚、運針方法としては、パルス電流を１秒間隔で間欠的に供給する方法もある。例えば、１秒毎の電流供給時間を０．５秒とし、その０．５秒間におけるパルス数を１６とする。このような駆動方法によると、秒針はステップ運針と同様に１秒毎に停止するが、ステップ運針と比較すると秒針の動きが円滑で美しいものとなる。但し、ノイズの影響は連続運針と同等又はそれよりも大きくなるので、アンテナ８００は第２アンテナ装着部６９１に装着する。
【００３１】
以上説明したように、本例のムーブメントは、電波修正時計のムーブメントとして極めて合理的に構成されたものである。尚、本例における各部の構成は、特許請求の範囲に記載した技術的範囲において適宜に設計変更が可能であり、図例説明したものに限定されないことは勿論である。
【００３２】
次に、前述した実施例について、補助ケース部材６９０に変更を施した例を説明する。図７乃至図１０に示すように、補助ケース部材６９０は、ケース体６００の厚さ方向に連結されるものとなっている。第２アンテナ装着部６９１は、背面側を開口した箱型を呈し、その内部には、アンテナ８００の端部を固定するスナップ６９２が設けられている。
【００３３】
また、補助ケース部材６９０には雄ねじ部品Ｂを螺合する雌ねじ部６９４が設けられており、第１アンテナ装着部６１１には雄ねじ部品Ｂを挿通する通孔６１３が設けられている。通孔６１３は、前述した実施例と同じものである。補助ケース部材６９０は、通孔６１３に挿通した雄ねじ部品Ｂを雌ねじ部６９４に螺合してねじ止めされる。雌ねじ部６９４は、第１ケース部材６１０の裏側から第１アンテナ装着部６１１の通孔６１３に向って突出する凸状の部位（図例では２箇所）となっており、雄ねじ部品Ｂは、第１ケース部材６１０の正面側から通孔６１３に挿通し、ケース体６００の厚さ方向に螺合する構成となっている。
【００３４】
アンテナ８００のリード線８０１は、第１アンテナ装着部６１１の要所に設けられたリード線挿通孔６１４に挿通して第１アンテナ装着部６１１の正面側にもたらされ、回路基板５００にハンダ付けされている。補助ケース部材６９０の要所には、第２アンテナ装着部６９１の要所から延出してなるパイプ部６９５が設けられており、パイプ部６９５の先端は、リード線挿通孔６１４に接続されている。リード線８０１は、その先端をパイプ部６９５の内部に通してリード線挿通孔６１４に挿通する。
【００３５】
このように、補助ケース部材６９０は、ケース体６００の厚さ方向に連結するように構成してもよい。時計の筐体は、形や大きさが様々であり、筐体の内部に設けるムーブメント１としては、補助ケース部材６９０の接続方向を変更することにより、筐体内部におけるレイアウトの自由度を向上することができる。例えば、補助ケース部材６９０をケース体６００の扁平方向に連結したものは、薄型の壁掛け時計に有利であり、補助ケース部材６９０をケース体６００の厚さ方向に連結したものは、箱型の目覚し時計に有利である。
【００３６】
次に、補助ケース部材６９０の成形について説明する。この補助ケース部材６９０は、樹脂製の射出成形部材である。ケース体６００の扁平方向に連結するものと、厚さ方向に連結するものとでは、雌ねじ部６９３，６９４の位置、及びパイプ部６９５の有無が異なる。
【００３７】
そこで、射出成形に用いる金型は、各雌ねじ部６９３，６９４及びパイプ部６９５の成形部を有するもとし、成形する補助ケース部材６９０の形状に応じてそれらの成形部に入れ子を挿入する構成とする。
【００３８】
このような構成によると、入れ子を交換することにより、１つの金型でケース体６００の扁平方向に連結する補助ケース部材と、厚さ方向に連結する補助ケース部材をそれぞれ成形することができる。
【産業上の利用可能性】
【００３９】
本発明の電波修正時計のムーブメントは、アナログ式の壁掛け時計や目覚し時計の時刻表示部を構成するユニットとして、極めて好適に利用することが可能である。
【図面の簡単な説明】
【００４０】
【図１】本発明の実施例に係り、電波修正時計のムーブメント（補助ケース部材を接続した状態）を示す正面図である。
【図２】本発明の実施例に係り、電波修正時計のムーブメント（補助ケース部材を接続した状態）を示す背面図である。
【図３】本発明の実施例に係り、ケース体の内部構造を示す説明図である。
【図４】本発明の実施例に係り、第１ケース部材及び補助ケース部材を示す正面右上からの斜視図である。
【図５】本発明の実施例に係り、第１ケース部材及び補助ケース部材を示す側面断面図である。
【図６】本発明の実施例に係り、電波修正時計のムーブメント（補助ケース部材を接続していない状態）を示す正面図である。
【図７】本発明の実施例に係り、電波修正時計のムーブメント（補助ケース部材を接続した状態）を示す正面図である。
【図８】本発明の実施例に係り、電波修正時計のムーブメント（補助ケース部材を接続した状態）を示す背面図である。
【図９】本発明の実施例に係り、第１ケース部材及び補助ケース部材を示す背面右上からの斜視図である。
【図１０】本発明の実施例に係り、第１ケース部材及び補助ケース部材を示す側面断面図である。
【符号の説明】
【００４１】
１    ムーブメント
２１０    第１ステッピングモータ
２２０    第２ステッピングモータ
３１０    第１減速機構
３１１    日の裏車
３１２    カナ
３２０    第２減速機構
４１０    時針パイプ
４１１    時針車
４２０    分針パイプ
４２１    分針車
４２２    カナ
４３０    秒針パイプ
４３１    秒針車
５００    回路基板
６００    ケース体
６０１    中板
６１０    第１ケース部材
６１１    第１アンテナ装着部
６１２    スナップ
６１３    通孔
６１４    リード線挿通孔
６２０    第２ケース部材
６３０    第３ケース部材
６９０    補助ケース部材
６９１    第２アンテナ装着部
６９２    スナップ
６９３    雌ねじ部
６９４    雌ねじ部
６９５    パイプ部
７００    位置検出手段
７１０    発光素子
７２０    受光素子
７３０    透光部
８００    アンテナ
８０１    リード線
９００    目安機構
９１０    目安車
９１１    孔部
９２０    時伝え車
９３０    目安カム
９３１    突起部
９４０    板バネ
９５０    目安接点
Ｂ    雄ねじ部品
【図１】
2010139411.tif 000003
【図２】
2010139411.tif 000004
【図３】
2010139411.tif 000005
【図４】
2010139411.tif 000006
【図５】
2010139411.tif 000007
【図６】
2010139411.tif 000008
【図７】
2010139411.tif 000009
【図８】
2010139411.tif 000010
【図９】
2010139411.tif 000011
【図１０】
2010139411.tif 000012